(57)【要約】  スピーカ（２０、３０）などポータブル電子デバイス用の、一体型電気プラグを有するスタンドシステム（３００）が、座り面を有する、支持表面上で所望の位置を有するハウジングを含む。本発明は、それだけには限らないが、ポータブルスピーカ、携帯情報端末（ＰＤＡ）、手持ち型コンピュータ、およびデジタルフォーマットまたはアナログフォーマットの音声または映像を再生するためのポータブルメディアプレーヤを含めて、様々なポータブル電子デバイスに使用することができる。【選択図】  図１
2008536444.tif 000002
【特許請求の範囲】
【請求項１】
スピーカシステムであって、
前記スピーカはスピーカハウジングを有し、前記スピーカハウジングは、上側および下側と、正面側および背面側と、左側および右側とを備え、かつ前記正面側が所期のユーザの方を向き、前記下側が支持表面の方を向くように構成され、
前記スピーカシステムはさらに、前記スピーカハウジングに接続されかつ音を再生するように構成された少なくとも１つのスピーカドライバと、
前記スピーカハウジング上の凹部と、
前記凹部の遠方端部に位置する第１の接続構成要素と、
基部構成要素とを備え、
前記基部構成要素が、前記支持表面上に静置されるように構成された下面と、
前記下面から延びる基部部材とを有し、前記基部部材は、前記下面以外の表面上に第２の接続構成要素を備え、前記第２の接続構成要素は、電気的な接続をもたらすように、前記スピーカハウジングの前記第１の接続構成要素と取外し可能に対合するように構成され、さらに前記基部部材は、前記凹部内に受け入れられるように構成され、
前記凹部が前記基部部材を受け入れるように構成されることで、前記第１の接続構成要素と第２の接続構成要素とが対合されたときに、前記基部構成要素が、前記スピーカハウジングを所望の位置に維持するような支持を提供する、スピーカシステム。
【請求項２】
請求項１に記載のスピーカシステムであって、前記基部構成要素が、前記スピーカハウジングを、前記支持表面に対して約９０度から約１１５度の角度で維持するように構成される、スピーカシステム。
【請求項３】
請求項１に記載のスピーカシステムであって、前記基部構成要素が、前記スピーカハウジングを、前記支持表面に対して約９５度から約１０５度の角度で維持するように構成される、スピーカシステム。
【請求項４】
請求項１に記載のスピーカシステムであって、前記基部構成要素が、ドッキングステーションに一体化されるように構成される、スピーカシステム。
【請求項５】
請求項１に記載のスピーカシステムであって、前記第１の接続構成要素がプラグを備え、前記第２の接続構成要素が入力端子を備える、スピーカシステム。
【請求項６】
請求項１に記載のスピーカシステムであって、前記第１の接続構成要素が入力端子を備え、前記第２の接続構成要素がプラグを備える、スピーカシステム。
【請求項７】
請求項１に記載のスピーカシステムであって、前記スピーカハウジングが、補助音声入力端子をさらに備える、スピーカシステム。
【請求項８】
請求項１に記載のスピーカシステムであって、前記スピーカハウジングが、電力入力端子をさらに備える、スピーカシステム。
【請求項９】
請求項８に記載のスピーカシステムであって、前記電力入力端子が、ＵＳＢポートを備える、スピーカシステム。
【請求項１０】
スピーカシステムであって、
スピーカハウジングを有し、前記スピーカハウジングは、第１の電気継手と、前記スピーカハウジングを支持表面上に静置するための座り面とを有し、
前記スピーカシステムは、さらに、前記第１の電気継手と対合するように適合された一体型の第２の電気継手を有するスピーカスタンドと、を有し、
前記第２の電気継手が前記第１の電気継手と取外し可能に対合可能であり、
前記第１の電気継手と前記第２の電気継手とが対合されたときに、前記スピーカスタンドが、前記スピーカハウジングを前記支持表面上に支持するように構成される、スピーカシステム。
【請求項１１】
請求項１０に記載のスピーカシステムであって、前記スピーカスタンドが、前記スピーカハウジングを、支持表面に対して約９０度から約１１５度の角度で維持するように構成される、スピーカシステム。
【請求項１２】
請求項１０に記載のスピーカシステムであって、前記スピーカスタンドが、前記スピーカハウジングを、支持表面に対して約９５度から約１０５度の角度で維持するように構成される、スピーカシステム。
【請求項１３】
請求項１０に記載のスピーカシステムであって、前記スピーカスタンドが、ドッキングステーションに一体化されるように構成される、スピーカシステム。
【請求項１４】
請求項１０に記載のスピーカシステムであって、前記スピーカハウジングが、補助音声入力端子をさらに備える、スピーカシステム。
【請求項１５】
請求項１０に記載のスピーカシステムであって、前記スピーカハウジングが、電力入力端子をさらに備える、スピーカシステム。
【請求項１６】
請求項１５に記載のスピーカシステムであって、前記電力入力端子が、ＵＳＢポートを備える、スピーカシステム。
【請求項１７】
スピーカスタンドシステムであって、
音声信号を受け取るように構成された基部を有し、前記基部は、前記音声信号を送信するように構成された第１の接点を備え、
前記スピーカシステムはさらに、スピーカハウジングを備え、
前記スピーカハウジングが、少なくとも１つのスピーカドライバと、
前記基部の前記第１の接点から前記音声信号を受信するように構成された第２の接点とを備え、
前記基部が前記スピーカハウジングに取外し可能に結合可能であることにより、前記少なくとも１つのスピーカドライバに前記音声信号を送ることができ、かつ、音声を前記少なくとも１つのスピーカドライバから所望のリスニング領域に向かわせる、所定の位置に前記スピーカハウジングを支持することができる、スピーカスタンドシステム。
【請求項１８】
請求項１７に記載のスピーカスタンドシステムであって、前記基部が、前記スピーカハウジングを、支持表面に対して約９０度から約１１５度の角度で支持するように構成される、スピーカスタンドシステム。
【請求項１９】
請求項１７に記載のスピーカスタンドシステムであって、前記基部が、前記スピーカハウジングを、支持表面に対して約９５度から約１０５度の角度で支持するように構成される、スピーカスタンドシステム。
【請求項２０】
請求項１７に記載のスピーカスタンドシステムであって、前記基部が、ドッキングステーションに一体化されるように構成される、スピーカスタンドシステム。
【請求項２１】
請求項１７に記載のスピーカスタンドシステムであって、前記第１の接点がプラグを備え、前記第２の接点が入力端子を備える、スピーカスタンドシステム。
【請求項２２】
請求項１７に記載のスピーカスタンドシステムであって、前記第１の接点が入力端子を備え、前記第２の接点がプラグを備える、スピーカスタンドシステム。
【請求項２３】
請求項１７に記載のスピーカスタンドシステムであって、前記スピーカハウジングが、補助音声入力端子をさらに備える、スピーカスタンドシステム。
【請求項２４】
請求項１７に記載のスピーカスタンドシステムであって、前記スピーカハウジングが、電力入力端子をさらに備える、スピーカスタンドシステム。
【請求項２５】
請求項２４に記載のスピーカスタンドシステムであって、前記電力入力端子が、ＵＳＢポートを備える、スピーカスタンドシステム。
【請求項２６】
電気信号を伝達するためのシステムであって、
座り面を有するハウジングを備え、前記ハウジングが支持表面上で所望の位置を有し、
前記システムはさらに、電気信号を伝達するための、前記ハウジングに動作可能に接続された第１の継手と、
ハウジングスタンドと一体化され第２の継手とを備え、前記第２の継手が、前記第１の継手と対合するように、また電気信号を伝達するように適合され、
前記第２の継手を前記第１の継手と対合させることにより、前記ハウジングスタンドが、前記座り面と共同で前記ハウジングの支持を提供して、前記ハウジングが前記表面上で所望の位置を維持することが可能になり、電気信号を前記第２の継手と前記第１の継手との間で伝達することが可能になる、システム。
【請求項２７】
請求項２６に記載の電気信号を伝達するためのシステムであって、前記第１の継手が雌継手であり、前記第２の継手が雄継手である、電気信号を伝達するためのシステム。
【請求項２８】
請求項２６に記載の電気信号を伝達するためのシステムであって、前記電気信号が音声信号である、電気信号を伝達するためのシステム。
【請求項２９】
請求項２６に記載の電気信号を伝達するためのシステムであって、前記電気信号がデジタル信号である、電気信号を伝達するためのシステム。
【請求項３０】
請求項２６に記載の電気信号を伝達するためのシステムであって、ハウジングが外部電力を受け取る、電気信号を伝達するためのシステム。
【請求項３１】
請求項２６に記載の電気信号を伝達するためのシステムであって、前記第１の継手が３．５ｍｍ（１／８インチ）ステレオジャックである、電気信号を伝達するためのシステム。
【請求項３２】
請求項２６に記載の電気信号を伝達するためのシステムであって、前記第１の継手が雌ＵＳＢコネクタであり、前記第２の継手が雄ＵＳＢコネクタである、電気信号を伝達するためのシステム。
【請求項３３】
請求項２６に記載の電気信号を伝達するためのシステムであって、前記第１の継手が雄ＵＳＢコネクタであり、前記第２の継手が雌ＵＳＢコネクタである、電気信号を伝達するためのシステム。
【請求項３４】
請求項２６に記載の電気信号を伝達するためのシステムであって、前記ハウジングがマルチパートハウジングである、電気信号を伝達するためのシステム。
【請求項３５】
請求項２６に記載の電気信号を伝達するためのシステムであって、前記ハウジングが、１つまたは複数のスピーカエンクロージャである、電気信号を伝達するためのシステム。
【請求項３６】
請求項２６に記載の電気信号を伝達するためのシステムであって、前記ハウジングが、音声信号および電力を受け取るためのＵＳＢジャックを含む、電気信号を伝達するためのシステム。
【請求項３７】
請求項２６に記載の電気信号を伝達するためのシステムであって、前記ハウジングが２つのスピーカエンクロージャを備え、前記第１のスピーカエンクロージャが、アナログ音声のチャンネルを前記第２のスピーカエンクロージャに送るために増幅音声出力ジャックを含む、電気信号を伝達するためのシステム。
【請求項３８】
請求項２６に記載の電気信号を伝達するためのシステムであって、前記ハウジングに、デジタル音声信号をアナログ音声信号に変換するためのデコーダが一体化されている、電気信号を伝達するためのシステム。
【請求項３９】
請求項３８に記載の電気信号を伝達するためのシステムであって、前記ハウジングに、前記アナログ音声信号を増幅するための増幅器がさらに一体化されている、電気信号を伝達するためのシステム。
【請求項４０】
請求項３９に記載の電気信号を伝達するためのシステムであって、前記ハウジングが第１および第２のスピーカエンクロージャを備え、前記デコーダおよび前記増幅器が前記第１のスピーカエンクロージャに一体化され、前記増幅されたアナログ音声信号の１つのチャンネルが、導電体を介して前記第２のスピーカエンクロージャに送信される、電気信号を伝達するためのシステム。
【請求項４１】
組み合わされた電気プラグと支持脚とを有するポータブルスピーカシステムを提供するためのキットであって、
前記キットはスピーカハウジングを有し、
前記スピーカハウジングは、スピーカハウジングに取り付けられた少なくとも１つのスピーカドライバと、
概して平坦な表面上で静置するための座り面と、
雄電気プラグを取外し可能に受け入れるための雌コネクタとを有し、
前記キットはさらに、雄電気プラグおよび前記雄電気プラグに接続された電気ケーブルを備え、前記電気プラグが、前記ジャックと対合されたときに支持脚を形成し、
前記支持脚が前記スピーカハウジングを部分的に支持することにより、前記プラグが前記コネクタに差し込まれて、前記スピーカハウジングが前記概して平坦な表面上で静置されているときに、前記スピーカハウジングを所望の位置に保持することができる、キット。
【請求項４２】
請求項４１に記載のキットであって、前記スピーカハウジングを前記電気プラグおよび電気ケーブルと共に受け入れるのに適した、コンパクトな旅行ケースをさらに備える、キット。
【請求項４３】
請求項４１に記載のキットであって、
第２のスピーカハウジングと、
２つのスピーカハウジングを、前記電気プラグおよび電気ケーブルと共に受け入れるのに適した、コンパクトな旅行ケースとをさらに備える、キット。
【発明の詳細な説明】
【技術分野】
【０００１】
本発明は、ポータブル電子デバイスを支持するためのシステムの分野に関する。
【背景技術】
【０００２】
本願は、著作権保護の対象となる資料を含む。著作権所有者は、米国特許商標庁のファイルまたは記録に記載されているとき、本特許開示が何者によって複製されようとも異存ないが、そうでない場合は、すべてのあらゆる著作権を留保する。
【０００３】
ポータブル電子デバイスは、しばしば、音声ソース、データソース、または電源など、外部ソースから電気入力を必要とする。そのようなポータブルデバイスには、それだけには限らないが、ポータブルスピーカ、携帯情報端末（ＰＤＡ）、手持ち型コンピュータ、およびデジタルフォーマットまたはアナログフォーマットの音声または映像を再生するためのポータブルメディアプレーヤが含まれる。
【０００４】
そのようなポータブル電子デバイスは、しばしば、ユーザが最適な状態で閲覧し、音を聞き、操作することができるように、デスクトップまたはテーブル上面など、概して平坦な表面上に所望の角度で静置させる必要がある。広い平坦な基部が、そのようなデバイスまたはそれらのドッキングクレードルの下面にしばしば設けられ、その結果、そのデバイスは、外部の支持なしに表面上に、その所望の角度で静置させることができる。しかし、そのような広い平坦な基部は、電子デバイスの大きさおよび重量を増すので、デバイスの可搬性を制限する。
【発明の開示】
【発明が解決しようとする課題】
【０００５】
特にラウドスピーカは、これらの制限を受ける。従来のスピーカは、一般に広い平坦な基部を含み、その結果、スピーカは、平坦な表面上で、その表面に対して約７０〜９０度の角度で立つことができる。この角度で、音がスピーカから聴き手に投射される。しかし、従来のスピーカはしばしばかさばるものであり、旅行者の貴重な空間を制限する。従来のポータブルスピーカですら、旅行に適したコンパクトな搬送用ケース内に格納するには、しばしばかさばりすぎる。
【課題を解決するための手段】
【０００６】
したがって、本発明は、従来技術の制限および欠点による１つまたは複数の問題を実質的に解消する電子デバイス用のスタンドシステムを対象とする。本発明は、電子デバイスの使用または動作に適した角度でそのデバイスを支持するように構成された、一体型電気プラグを有する取外し式スタンドシステムを提供する。
【０００７】
一実施形態では、本発明は、座り面を有するハウジングを備える、電気信号を伝達するためのシステムを提供し、そのハウジングは、支持表面上で所望の位置を有する。雌継手が、電気信号を伝達するためにハウジングに動作可能に接続される。ハウジングスタンドと一体化された雄継手がさらに設けられ、その雄継手は、雌継手と対合し、電気信号を伝達するように適合される。雄継手を雌継手と対合することにより、ハウジングスタンドが、座り面と共同でハウジングを支持し、ハウジングがこの表面上で所望の位置を維持することが可能になり、電気信号を雄継手と雌継手の間で伝達することが可能になる。本発明は、以下に限らないが、ポータブルスピーカ、携帯情報端末（ＰＤＡ）、手持ち型コンピュータ、およびデジタルフォーマットまたはアナログフォーマットの音声または映像を再生するためのポータブルメディアプレーヤを含めて、様々なポータブル電子デバイスに使用することができる。
【０００８】
他の実施形態では、本発明は、組み合わされた電気プラグと支持脚とを有するポータブルスピーカシステムを提供するためのキットを含む。このキットは、少なくとも１つのスピーカドライバが取り付けられたスピーカハウジングと、概して平坦な表面上で静置させるための座り面と、電気プラグを取外し可能に受け入れるためのジャックとを含む。電気プラグと、その電気プラグに接続された電気ケーブルが、このキットにおいてさらに提供され、電気プラグは、ジャックと対合されたときに、支持脚を形成する。支持脚は、スピーカハウジングを部分的に支持し、その結果、スピーカハウジングは、プラグがジャックに差し込まれてスピーカハウジングが概して平坦な表面上で静止しているときに、所望の位置に保持されることが可能になる。このキットは、２つのスピーカを、電気プラグおよび電気ケーブルと共に受け取るのに適した、コンパクトな旅行ケースを含むことができる。
【０００９】
他の実施形態では、本発明は、取外し式基部を有するポータブルスピーカを提供する。取外し式基部は、たとえば左右のスピーカを結合するために使用することができる一体型電気プラグを有する。他の実施形態では、ラップトップコンピュータ用のドッキングステーションが、一体型ワイヤを有する基部を有する。スピーカは、ユニバーサルシリアルバス（ＵＳＢ）ケーブルによって給電され、余分なバッテリを持ち歩く必要をなくすことも、バッテリ駆動式とすることもできる。
【００１０】
一実施形態では、スピーカシステムはスピーカハウジングを有し、このスピーカハウジングは、上側、下側、正面側、および背面側と、左側および右側とを備え、かつ正面側が所期のユーザの方を向き、下側が支持表面の方に向くように構成される。このスピーカハウジングはさらに、スピーカハウジングに接続されかつ音を再生するように構成された少なくとも１つのスピーカドライバと、スピーカハウジング上の凹部と、凹部の遠方端部に位置する第１の接続構成要素と、基部構成要素とを備える。この基部構成要素は、支持表面上で静置されるように構成された下面と、下面から延びる基部部材とを有する。この基部部材は、下面以外の表面上に第２の接続構成要素を備え、第２の接続構成要素は、電気的な接続をもたらすように、スピーカハウジングの第１の接続構成要素と取外し可能に対合するように構成される。さらに基部部材は、凹部内に受け入れられるように構成される。凹部が基部部材を受け入れるように構成されることで、第１の接続構成要素と第２の接続構成要素とが対合されたときに、基部構成要素が、スピーカハウジングを所望の角度に維持するような支持を提供する。
【００１１】
一態様では、基部構成要素は、スピーカハウジングを支持表面上の所望の位置において、支持表面に対して約９０度から１１５度の角度で、好ましくは支持表面に対して９５度と１０５度との間にある角度で維持するように構成される。
【００１２】
他の態様では、第１の接続構成要素はプラグを備え、第２の接続構成要素は入力を備え、またはその逆である。スピーカハウジングは、補助音声入力および／または電力入力をさらに備えることができ、これらはＵＳＢポートとすることができる。
【００１３】
他の実施形態によれば、スピーカシステムは、入力を有するスピーカエンクロージャと、一体型プラグを有するスピーカスタンドとを備え、プラグは入力端子に取外し可能に受け入れられる。スピーカスタンドは、スピーカエンクロージャを支持し、入力端子がプラグを受け入れるように構成される。
【００１４】
他の実施形態では、スピーカスタンドシステムは、音声入力を受け取るように構成された基部であって、音声入力を送信するように構成された第１の接点を備える基部と、スピーカエンクロージャとを備える。スピーカエンクロージャは、座り面と、少なくとも１つのスピーカドライバと、基部の第１の接点から音声入力を受信するように構成された第２の接点とを備える。基部は、スピーカエンクロージャに取外し可能に結合可能であり、
少なくとも１つのスピーカドライバに音声入力を送ることができ、また、少なくとも１つのスピーカドライバから所望のリスニング領域に音を向かわせる、所定の位置にスピーカエンクロージャが維持されるような支持を追加することができる。
【００１５】
本発明の追加の特徴および利点は、以下の説明で述べられることになり、その一部は、以下の説明から明らかとなり、あるいは本発明を実施することによって学習することができる。本発明の目的および他の利点は、書面の説明で特に指摘されている構造およびその特許請求の範囲、ならびに添付の図面によって実現され、達成されることになる。
【００１６】
前述の一般的な説明、および以下の詳細な説明は、どちらも例示的なもの、説明のためのものであり、特許請求されている本発明をさらに説明しようとするものであることを理解されたい。
【００１７】
本発明の理解をさらに深めるために含まれている、また本明細書に組み込まれ、その一部を構成する添付の図面は、本発明の諸実施形態を例示し、説明と共に本発明の少なくとも１つの実施形態の原理を説明するものである。
【発明を実施するための最良の形態】
【００１８】
次に、本発明の好ましい実施形態を詳細に参照し、その例は、添付の図面に例示されている。
図１を参照すると、スピーカシステム１０は、電気コネクタが一体化された基部構成要素またはスタンド３００を受けるための凹部を有する１対のスピーカ２０、３０を有する。スピーカ２０、３０はそれぞれ、ハウジング２０、３０の正面側に少なくとも１つのスピーカドライバ４０を有する。スピーカドライバは、たとえば、アルミニウムコーンを有する４つのフルレンジ型ネオジムマイクロドライバの形態で設けることができる。好ましくは、スピーカ２０、３０はそれぞれ、実質的に平坦な正面、背面、側面を有する細長い構造として構成される。この構成により、荷造りに好都合なように設計された軽量スピーカが実現される。
【００１９】
スピーカ２０、３０は、個々の自立式スピーカハウジングを備えることができる。別法として、スピーカハウジングは、スピーカ２０からスピーカ３０に延びる横断部材２５を含むことができ、その結果、スピーカが互いに機械的に接続される。そのような実施形態では、基部構成要素またはスタンド３００は、ハウジングの横断部材部分と対合することができる。
【００２０】
スピーカ３０の側部には、ラップトップコンピュータ、パーソナルメディアプレーヤ、ＣＤプレーヤなど、追加の音源用の補助入力５０がある。電源ボタン６０およびボリュームコントロール７０、７５もまた、スピーカ３０のその側部に配置される。
【００２１】
図２を参照すると、ユニバーサルシリアルバス（ＵＳＢ）ポート９０がスピーカ３０の背面側８０に配置される。このＵＳＢポートを介して、コンピュータは、電力ならびに音声信号または入力を送ることができる。別法として、スピーカ２０、３０は、当業者に知られている他の手段によって、給電を受ける、かつ／または音声信号を受け取ることができる。
【００２２】
凹部１２０が、背面側８０と下面側８５との間の縁部（たとえば、図２に示されているように丸い縁部）に配置される。凹部１２０は、音声信号を受信または送信するために、凹部１２０の遠方端部に位置するポート（たとえば、第１の接続構成要素、継手、またはジャック）１１０を有する。スピーカ２０は、実質的に同一のポート（図示せず）を有する。スピーカ２０、３０はそれぞれ、支持、および音声信号／入力の送信のために、凹部１２０でスピーカスタンド３００（図３ａ）と係合する。
【００２３】
図３ａ〜３ｄを参照すると、各スピーカ２０、３０を支持するために使用されるスタンド３００が示されている。基部構成要素またはスタンド３００は、基部部材３１０と、側部構成要素３２０とを備える。基部部材３１０は、スピーカ２０、３０にしっかり結合されるように構成される。基部部材３１０の形状は、実質的に、スピーカ２０、３０の凹部１２０によって受けられるように構成される。具体的には、側壁３３０、３３５はそれぞれ、下面３４０から角度αにある。角度αは、凹部１２０（図２）の側部および下部１２５の間の角度βと実質的に同一である。角度α、βはそれぞれ、約８０度から９０度であることが好ましい。好ましい実施形態では、角度α、βはそれぞれ、約８７度である。スタンド３００と凹部１２０の実質的に同一な構成により、安全な係合が確保される。
【００２４】
側部構成要素３２０は、基部部材３１０の背面側３５５から延び、スタンド３００が係合されたとき、基部部材３１０およびスピーカ２０、３０を支持する。基部部材３１０がスピーカ２０、３０と係合されたとき、側部構成要素３２０は、その組み合わせられたユニットから延び、スピーカ２０、３０を所望の位置で支持する。基部部材３１０の正面側３７０と、基部構成要素またはスタンド３００の下面３４０との間の角度θは、スピーカが音を再生するために、所望の角度をもたらす。角度θは、約７５度から９０度であることが好ましい。好ましくは、角度θは、約８３度である。
【００２５】
スタンド３００がスピーカ２０、３０を支持しているとき、スタンド３００の角度θは、スピーカ２０、３０に所望の位置を維持させ、その位置は、好ましい実施形態では、角度θにあるか、それよりわずかに小さい。所望の聞き手に対して音を再生するための最適な角度を得るために、スピーカ２０、３０は、角度θに等しい角度で位置決めされる。
【００２６】
スタンド３００の基部部材３１０の上側３４５から延びるプラグ（たとえば、第２の接続構成要素）３５０は、スピーカ２０、３０のポート１１０によって受け取らせることができる。別法として、プラグは、スピーカ２０、３０上に配置することができ、ポートをスタンド３００上に配置することができる。ポート１１０とプラグ３５０は、係合したときに、スタンド３００とスピーカ２０、３０の間の音声信号送信のための接続をもたらす。
【００２７】
ワイヤ３６０はプラグ３５０に接続し、基部部材３１０を介して、また側部構成要素３２０を介して延び、側部構成要素先端３６５で脱出する。次いで、ワイヤ３６０は、他方のスピーカ２０、３０用の実質的に同一のスタンドに接続するように、十分な長さで延びる。ワイヤ３６０は、スピーカ２０をスピーカ３０に通信可能に結合する。その結果、音声ソース（たとえば、コンピュータ、ＣＤプレーヤ、ＭＰ３プレーヤ）は、音声信号をスピーカ３０に送ることしか必要とせず、スピーカ３０は、適切な信号を、ワイヤ３６０を介してスピーカ２０に送信する。好ましい実施形態では、ステレオ音声信号が、ＵＳＢポート９０を介してスピーカ３０に入力される。信号は、デジタルフォーマットで受信され、スピーカ３０内のデコーダによってステレオアナログ信号に復号されてもよい。スピーカ３０のスピーカドライバ４０は、ステレオ音声信号の一方のチャンネルから音を再生し、他方のチャンネルに対応する音声信号は、ワイヤ３６０を介して他方のスピーカ２０に送信される。他の実施形態では、スピーカ３０に入力される音声信号は、モノラルとすることも、２つより多いチャンネルを含むこともでき、ワイヤ３６０は、すべてのチャンネルに対応する音を再生するために、２つより多いスピーカを接続することができる。同様に、電力はスピーカ３０に送られ、ワイヤ３６０を介してスピーカ２０に送達されてもよい。別法として、または追加として、スピーカ３０は、ＵＳＢポート９０を介して受信された音声信号を、（やはりＵＳＢポート９０を介して）送達された電力を使用して増幅するための増幅回路（図示せず）を含むことができる。この増幅された音声信号は、スピーカ３０のスピーカドライバ４０を駆動することができ、ワイヤ３６０を介してスピーカ２０に送信し、スピーカ２０のスピーカドライバ４０を駆動することができる。
【００２８】
図４を参照すると、スタンド３００は、方向４００で、ポータブル電子デバイス４３０の凹部１００に挿入される。ポータブル電子デバイスは、たとえば、スピーカシステム、携帯情報端末（ＰＤＡ）、手持ち型コンピュータ、またはデジタルフォーマットもしくはアナログフォーマットの音声もしくは映像を再生するためのポータブルメディアプレーヤとすることができる。凹部１００は、プラグ３５０がデバイス４３０のハウジングに結合され、基部部材３１０がハウジングによって実質的に包まれるようにスタンド３００を受けるように構成される。基部部材３１０は、凹部１００の境界まで延び、ポータブル電子デバイス４３０の形状と実質的に一体化される。その結果、側部構成要素３２０は、ハウジングから延びているように見える。
【００２９】
代替の実施形態では、スタンド３００は、ラップトップコンピュータ用のドッキングステーションに一体化される。旅行者がラップトップコンピュータをドッキングステーション内でドッキングしたとき、スピーカ２０、３０は、ドッキングステーションに通信可能に結合され、その結果、スタンド３００と同様な形で、スピーカ２０、３０を支持し、音声ソースを提供する。旅行者は、ドッキングステーション以外の場所でスピーカ２０、３０を使用するとき、ドッキングステーションなしでスタンド３００だけを使用する。スタンド３００およびスピーカ２０、３０のサイズおよび構成は、可搬性および音質にとって望ましいものである。図５は、本発明による１対のスピーカハウジングを、電気プラグおよび電気ケーブルと共に受け取るのに適した、コンパクトな旅行ケースを示す。
【００３０】
図６は、図４の３．５ｍｍ（１／８）ステレオプラグの代わりにＵＳＢプラグ３６０が設けられたことを除いて、図４に関連して上述した特徴を有する本発明の一実施形態を示す。ＵＳＢプラグ３６０は、雄でも雌でもよく、任意の適切なフォームファクタのものとすることができる。当業者なら、それだけには限らないが、ＩＥＥＥ１３９４コネクタ、ネットワークコネクタ、シリアルコネクタ、パラレルコネクタ、６．５ｍｍ（１／４）フォノプラグ、メーカ独自のデータコネクタを含めて、他のプラグ、継手、コネクタなどを、本発明の精神および範囲から逸脱することなしに使用することができることを理解するであろう。
【００３１】
本発明について、詳細に、またその特定の実施形態を参照して述べたが、本発明の精神および範囲から逸脱することなしに、様々な変更および修正を加えることができることが、当業者には明らかとなるであろう。たとえば、様々な実施形態は、本発明をポータブルスピーカに関連して使用しているが、本発明は、それだけには限らないが、携帯情報端末（ＰＤＡ）、手持ち型コンピュータ、およびデジタルフォーマットまたはアナログフォーマットの音声または映像を再生するためのポータブルメディアプレーヤを含めて、様々な他の電子デバイスに使用することができる。したがって、本発明は、本発明の修正形態および変形形態が、添付の特許請求の範囲およびそれらの均等物のいずれかの範囲内に入るならば、それらを包含するものとする。
【図面の簡単な説明】
【００３２】
【図１】本発明を組み込む１対のスピーカの正面斜視図である。
【図２】本発明の一実施形態によるスピーカの背面斜視図である。
【図３ａ】本発明の一実施形態によるスタンドの側面図である。
【図３ｂ】本発明の一実施形態によるスタンドの側面図である。
【図３ｃ】本発明の一実施形態によるスタンドの側面図である。
【図３ｄ】本発明の一実施形態によるスタンドの底面図である。
【図４】本発明の一実施形態による、スタンドがポータブル電子デバイスと係合するところの斜視図である。
【図５】本発明による１対のスピーカハウジングを、電気プラグおよび電気ケーブルと共に受け取るのに適した、コンパクトな旅行ケースを示す上面図である。
【図６】本発明の一実施形態による、ＵＳＢコネクタを有するスタンドがポータブル電子デバイスと係合するところの斜視図である。
【図１】
2008536444.tif 000003
【図２】
2008536444.tif 000004
【図３Ａ】
2008536444.tif 000005
【図３Ｂ】
2008536444.tif 000006
【図３Ｃ】
2008536444.tif 000007
【図３Ｄ】
2008536444.tif 000008
【図４】
2008536444.tif 000009
【図５】
2008536444.tif 000010
【図６】
2008536444.tif 000011
【国際調査報告】
2008536444.tif 000012
2008536444.tif 000013